【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
掃除機本体に塵埃を除去する集塵部と電動送風機を内装し、前記掃除機本体の吸気流入口にホースを着脱自在に接続した電気掃除機において、
前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、
前記開口部に、前記開口部と集塵室との間をシールするパッキンを設け、
前記開口部と集塵室間のフィルターの上流側に使い捨てフィルターを配設し、該使い捨てフィルターを前記開口部のパッキンと集塵室との間で挟持したことを特徴とする電気掃除機。
【請求項２】
掃除機本体に塵埃を除去する集塵部と電動送風機を内装し、前記掃除機本体の吸気流入口にホースを着脱自在に接続した電気掃除機において、
前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、
前記開口部に、前記開口部と集塵室との間をシールするパッキンを設け、
前記集塵室のパッキンより内側位置にフィルター押さえ部を形成し、
前記開口部と集塵室間のフィルターの上流側に使い捨てフィルターを配設し、該使い捨てフィルターを前記開口部と集塵室のフィルター押さえ部との間で挟持したことを特徴とする電気掃除機。
【請求項３】
掃除機本体に塵埃を除去する集塵部と電動送風機を内装し、前記掃除機本体の吸気流入口にホースを着脱自在に接続した電気掃除機において、
前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、
前記開口部はフィルターの上流側に使い捨てフィルターを配置できる構成とし、前記開口部の使い捨てフィルター取付面を長方形状に形成すると共に、前記使い捨てフィルターとしてティッシュペーパーを用いたことを特徴とする電気掃除機。
【請求項４】
掃除機本体に塵埃を除去する集塵部と電動送風機を内装し、前記掃除機本体の吸気流入口にホースを着脱自在に接続した電気掃除機において、
前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、
前記開口部はフィルターの上流側に使い捨てフィルターを配置できる構成とし、前記開口部の使い捨てフィルター取付面を凹凸の少ないフラットな面に形成すると共に、前記使い捨てフィルターとしてティッシュペーパーを用いたことを特徴とする電気掃除機。
【請求項５】
掃除機本体に塵埃を除去する集塵部と電動送風機を内装し、前記掃除機本体の吸気流入口にホースを着脱自在に接続した電気掃除機において、
前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、
前記開口部をメインフィルター部と該メインフィルター部の上流側に位置してメインフィルター部と分離して形成されたプレフィルター部とで構成し、前記プレフィルター部とメインフィルター部とを夫々回転軸に回動自在に軸支すると共に、前記メインフィルター部に係合してプレフィルター部とメインフィルター部とを集塵室に閉塞状態に保持する係止部を形成し、
前記プレフィルター部と集塵室との間で使い捨てフィルターを挟持したことを特徴とする電気掃除機。
【手続補正２】
【補正対象書類名】明細書
【補正対象項目名】０００５
【補正方法】変更
【補正の内容】
【０００５】
上記課題を解決するための第１の手段は、掃除機本体に塵埃を除去する集塵部と電動送風機を内装し、前記掃除機本体の吸気流入口にホースを着脱自在に接続した電気掃除機において、前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、前記開口部に、前記開口部と集塵室との間をシールするパッキンを設け、前記開口部と集塵室間のフィルターの上流側に使い捨てフィルターを配設し、該使い捨てフィルターを前記開口部のパッキンと集塵室との間で挟持したことを特徴とする。
【手続補正３】
【補正対象書類名】明細書
【補正対象項目名】０００６
【補正方法】変更
【補正の内容】
【０００６】
上記課題を解決するための第２の手段は、掃除機本体に塵埃を除去する集塵部と電動送風機を内装し、前記掃除機本体の吸気流入口にホースを着脱自在に接続した電気掃除機において、前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、前記開口部に、前記開口部と集塵室との間をシールするパッキンを設け、前記集塵室のパッキンより内側位置にフィルター押さえ部を形成し、前記開口部と集塵室間のフィルターの上流側に使い捨てフィルターを配設し、該使い捨てフィルターを前記開口部と集塵室のフィルター押さえ部との間で挟持したことを特徴とする。
【手続補正４】
【補正対象書類名】明細書
【補正対象項目名】０００７
【補正方法】変更
【補正の内容】
【０００７】
上記課題を解決するための第３の手段は、掃除機本体に塵埃を除去する集塵部と電動送風機を内装し、前記掃除機本体の吸気流入口にホースを着脱自在に接続した電気掃除機において、前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、前記開口部はフィルターの上流側に使い捨てフィルターを配置できる構成とし、前記開口部の使い捨てフィルター取付面を長方形状に形成すると共に、前記使い捨てフィルターとしてティッシュペーパーを用いたことを特徴とする。
【手続補正５】
【補正対象書類名】明細書
【補正対象項目名】０００８
【補正方法】変更
【補正の内容】
【０００８】
上記課題を解決するための第４の手段は、掃除機本体に塵埃を除去する集塵部と電動送風機を内装し、前記掃除機本体の吸気流入口にホースを着脱自在に接続した電気掃除機において、前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、前記開口部はフィルターの上流側に使い捨てフィルターを配置できる構成とし、前記開口部の使い捨てフィルター取付面を凹凸の少ないフラットな面に形成すると共に、前記使い捨てフィルターとしてディッシュペーパーを用いたことを特徴とする。
【手続補正６】
【補正対象書類名】明細書
【補正対象項目名】０００９
【補正方法】変更
【補正の内容】
【０００９】
上記課題を解決するための第５の手段は、掃除機本体に塵埃を除去する集塵部と電動送風機を内装し、前記掃除機本体の吸気流入口にホースを着脱自在に接続した電気掃除機において、前記集塵部は、前記吸気流入口に連通する吸込口と、該吸込口から吸引された塵埃を貯める集塵室と、該集塵室を回動自在に開閉する開口部と、該開口部に配設され、集塵室から開口部を介して排気される空気から塵埃を除去するフィルターとを備え、前記開口部をメインフィルター部と該メインフィルター部の上流側に位置してメインフィルター部と分離して形成されたプレフィルター部とで構成し、前記プレフィルター部とメインフィルター部とを夫々回転軸に回動自在に軸支すると共に、前記メインフィルター部に係合してプレフィルター部とメインフィルター部とを集塵室に閉塞状態に保持する係止部を形成し、前記プレフィルター部と集塵室との間で使い捨てフィルターを挟持したことを特徴とする。
【手続補正７】
【補正対象書類名】明細書
【補正対象項目名】００１０
【補正方法】変更
【補正の内容】
【００１０】
本発明の請求項１の構成によれば、使い捨てフィルターをフィルターの上流側に配設することによりフィルターの目詰まりを抑制することができるため、フィルターのメンテナンスの手間を低減させることができる。また、使い捨てフィルターはパッキンと集塵室とで挟持されることにより装着されるため、使い捨てフィルターの装着性を向上させることができる。また、使い捨てフィルターをごみと共に容易に廃棄することができる等の効果を奏する。
【手続補正８】
【補正対象書類名】明細書
【補正対象項目名】００１１
【補正方法】変更
【補正の内容】
【００１１】
本発明の請求項２の構成によれば、使い捨てフィルターをフィルターの上流側に配設することによりフィルターの目詰まりを抑制することができるため、フィルターのメンテナンスの手間を低減させることができる。また、集塵室のパッキンより内側位置にフィルター押さえ部を形成し、使い捨てフィルターを開口部と集塵室のフィルター押さえ部との間で挟持されることにより装着されるため、使い捨てフィルターの装着性を向上させることができる。また、使い捨てフィルターをごみと共に容易に廃棄することができる等の効果を奏する。
【手続補正９】
【補正対象書類名】明細書
【補正対象項目名】００１２
【補正方法】変更
【補正の内容】
【００１２】
本発明の請求項３の構成によれば、使い捨てフィルターをフィルターの上流側に配設することによりフィルターの目詰まりを抑制することができるため、フィルターのメンテナンスの手間を低減させることができる。また、使い捨てフィルター取付面を長方形状に形成し、使い捨てフィルターとしてティッシュペーパーを用いているので、通常長方形状に形成されているティッシュペーパーを容易に装着することができる等の効果を奏する。
【手続補正１０】
【補正対象書類名】明細書
【補正対象項目名】００１３
【補正方法】変更
【補正の内容】
【００１３】
本発明の請求項３の構成によれば、使い捨てフィルターをフィルターの上流側に配設することによりフィルターの目詰まりを抑制することができるため、フィルターのメンテナンスの手間を低減させることができる。また、使いしてフィルターの取付面はフラットに形成し、使い捨てフィルターとしてティッシュペーパーを用いているので、比較的破れやすいティッシュペーパーを用いても、電動送風機の吸引力によりティッシュペーパーの破損を防止することができる等の効果を奏する。
【手続補正１１】
【補正対象書類名】明細書
【補正対象項目名】００１４
【補正方法】変更
【補正の内容】
【００１４】
本発明の請求項３の構成によれば、使い捨てフィルターをフィルターの上流側に配設することによりフィルターの目詰まりを抑制することができるため、フィルターのメンテナンスの手間を低減させることができる。また、使い捨てフィルターは、プレフィルター部と集塵部との間で挟持されることにより装着されるため、使い捨てフィルターの装着性を向上させることができる等の効果を奏する。